(57)【要約】【課題】  ストラップの取付部によるデザインの制約を少なくし、また、取付部における高強度化を図る。【解決手段】  互いに突き合わされて組み付けられるフロントケース１３とリヤケース１４とからケース本体１２を構成する。ストラップを係止可能な係止棒２３を有する取付部材１６を樹脂により一体成型し、その外周面に金属メッキを施す。フロントケース１３とリヤケース１４との固定箇所近傍に取付部材１６を設ける。取付部材１６に、ケース本体１２を構成するフロントケース１３及びリヤケース１４の内面と係合する係合部を設ける。取付部材１６の係止棒部２３の角部に円弧状の面取りを施す。【選択図】      図２
2005109224.tif 000002
【特許請求の範囲】
【請求項１】
ストラップが取り付けられる係止棒を有する取付部材を、ケース本体と係合して固定したことを特徴とする携帯電子機器。
【請求項２】
前記取付部材は、前記ケース本体の内面と係合する係合部を有すると共に、前記ケース本体は、互いに突き合わされて組み付けられる一対のケース部材からなる半割構造とされ、前記取付部材の係合部は各ケース部材の内面とそれぞれ係合させると共に、前記取付部材を前記ケース同士を固定する固定箇所近傍に配したことを特徴とする請求項１に記載の携帯電子機器。
【請求項３】
前記取付部材の係止棒は、断面略矩形状に形成され、少なくとも裏面側における角部に面取りを施してあることを特徴とする請求項１または２に記載の携帯電子機器。
【請求項４】
前記取付部材は、樹脂によって一体成型されかつ外表面が金属層で被覆されていることを特徴とする請求項１ないし３のいずれか１項に記載の携帯電子機器。
【請求項５】
前記取付部材は、金属によって形成されていることを特徴とする請求項１ないし３のいずれか１項に記載の携帯電子機器。
【発明の詳細な説明】
【技術分野】
【０００１】
本発明は、携帯電話、電子手帳あるいはデジタルカメラなどの携帯電子機器に関するものである。
【背景技術】
【０００２】
近年、例えば、携帯電話、ＰＤＡ(Personal Digital Assistant)、電子手帳あるいはデジタルカメラなどの各種の携帯電子機器が提供されている。
これらの携帯電子機器には、そのケース本体に、紐状のいわゆるストラップを取り付ける取付部が一体に設けられている。
図１２に示すように、ストラップの取付部５１は、ケース本体５２の縁部における角部を形成する二つの面のそれぞれから孔部５３を形成し、これら孔部５３を互いに連通させてストラップ挿通孔とするとともに、係止棒部５４を形成した構造とされている。そして、この取付部５１は、図１３に示すように、それぞれの孔部５３を成型する金型５５をＬ字状に突き合わせることにより成型されている。
【０００３】
このような携帯電子機器のストラップ取付部の構造は、例えば、下記の特許文献１に開示されている。
【特許文献１】特開平８−２７４８５２号公報
【発明の開示】
【発明が解決しようとする課題】
【０００４】
ところで、上記のようにストラップの取付部５１が形成された携帯電子機器では、その取付部５１がケース本体５２と一体成型されているため、ケース本体５２のデザインが制約されてしまうという問題があった。特に、近年、携帯電子機器の分野では、他の機器との差別化を図るうえで、ケースのデザインは大きなウエイトを占めるようになっていた。
【０００５】
この発明は、デザインの制約を受けることなく、高強度化が図られたストラップの取付部を有する携帯電子機器を提供することを目的としている。
【課題を解決するための手段】
【０００６】
上記目的を達成するために、請求項１に記載の携帯電子機器は、ストラップが取り付けられる係止棒を有する取付部材を、ケース本体と係合して固定したことを特徴とする。
【０００７】
また本発明の携帯電子機器は、前記取付部材が前記ケース本体の内面と係合する係合部を有すると共に、前記ケース本体は、互いに突き合わされて組み付けられる一対のケース部材からなる半割構造とされ、前記取付部材の係合部は各ケース部材の内面とそれぞれ係合させると共に、前記取付部材を前記ケース同士を固定する固定箇所近傍に配したことを特徴とする。
【０００８】
また前記取付部材の係止棒は、断面略矩形状に形成され、少なくとも裏面側における角部に面取りを施してあることを特徴とする。
また前記取付部材は、樹脂によって一体成型されかつ外表面が金属層で被覆されていることを特徴とする。
また前記取付部材は、金属によって形成されていることを特徴とする。
【発明の効果】
【０００９】
上記携帯電子機器によれば、紐状のいわゆるストラップを係止可能な係止棒を有する取付部材をケース本体と別体としてこれをケース本体に係合させるようにしたので、この係止棒を有する取付部材をケース本体と別の高強度な材質とすることができ、耐久性を大幅に向上させることができる。
また、取付部材を別体としたことによりデザインの制約が大幅に低減され、ケース本体と取付部材とを異なる色や模様とすることにより、様々なデザイン要求に対応することができる。
【００１０】
また、ストラップを係止可能な係止棒を有する取付部材の係合部がケース本体の内面と係合するので、取付部材のケース本体への取り付け強度を高めることができる。
また、一対のケース部材同士の固定箇所近傍に取付部材を設けたので、ストラップを介して取付部材に引っ張り力が作用しても、ケース部材同士の突き合わせ部分が開くような不具合なく、ケース部材同士の組み付け状態を維持することができ、取付部材のケース本体への強固な取り付け状態も維持することができる。
また、取付部材の係止棒の少なくとも裏面側における角部に円弧状やテーパ状の面取りを施すことで、ストラップとの摩擦を低減させて、ストラップの傷付きを防止することができる。
【００１１】
また、樹脂によって一体成型した取付部材の外表面に金属層を被覆することで、取付部材の耐摩耗性を向上させることができる。
また、取付部材を金属によって形成することで、取付部材の耐摩耗性を向上させることができる。
【発明を実施するための最良の形態】
【００１２】
以下、本発明を実施するための最良の形態に係る携帯電子機器について図面を参照して説明する。
図１は、実施形態に係る携帯電子機器を示す斜視図で、（ａ）は閉じた状態を示す図であり、（ｂ）は開いた状態を示す図である。また、図２は、実施形態に係る携帯電子機器を示す斜視図、図３は、携帯電子機器の一部の断面図、図４は、携帯電子機器の一部の分解斜視図、図５は、携帯電子機器の一部の分解斜視図、図６は、携帯電子機器の取付部付近における斜視図である。
図に示す携帯電子機器１は携帯電話機に適用したもので、一表面１１ａに表示部２及びスピーカ３を有するケース本体１１と、一表面１２ａにテンキーやカーソルキー等からなる操作部５及びマイク６を有するケース本体１２とを有し、ケース本体１１は、図１（ａ）に示すように、操作部５及びマイク６を覆うようにケース本体１２上に重ね合わせて配置することができると共に、互いの重ね合わせ方向に沿う軸線Ｌを中心にケース本体１１をケース本体１２に対して回動させて操作部５及びマイク６を外部に露出させることができるようになっている。即ち、２つのケース本体１１、１２は互いに端部を図示略の連結部を介して連結してあり、前記軸線Ｌを中心にケース本体１１をケース本体１２に対して回動させることができるようになっている。
そのため、図１（ａ）に示すように、２つのケース本体１１、１２を重ね合わせた閉状態とすれば、コンパクトにすることができ、携行等に好ましい状態とすることができ、また、図１（ｂ）に示すように、ケース本体１１をケース本体１２に対して１８０度回動させた開状態とすれば、通話や操作部を使った操作に好ましい状態とすることができる。また、表示部２は、ケース本体１２の一表面１２ａと同じ方向を向いた一表面１１ａに設けてあるため、図１（ａ）（ｂ）いずれの状態でも表示部２に表示された情報をユーザーが見ることができるようになっている。なお、符号７はケース本体１２の一端部内に設けられた、内蔵アンテナである。
【００１３】
この携帯電子機器１のケース本体１２は、フロントケース（ケース部材）１３とリヤケース（ケース部材）１４とから構成された半割構造とされている。
この携帯電子機器１のケース本体１２には、その一端側における一側部に、紐状のストラップＳを取り付けるための取付部１５を備えている。この取付部１５は、フロントケース１３とリヤケース１４との間に配設された取付部材１６を有している。
【００１４】
ケース本体１２内には、金属あるいは硬質樹脂から形成されたフレーム１７を有しており、このフレーム１７には、各種電子部品が実装された基板１８が固定されている。
そして、このフレーム１７には、その角部に取付部材１６が固定されている。
【００１５】
ここで、この取付部材１６について、図面を参照しながら説明する。
図７は、取付部を構成する取付部材の正面図、図８は、取付部材の上面図、図９は、取付部材の裏面図、図１０は、取付部材の断面図、図１１は、取付部材の成型の仕方を説明する概略断面図である。
この取付部材１６は、樹脂によって一体成型し、その外表面に、例えば金属のメッキを施すことによって金属層を被覆したもので、外形形状が円形をしたストラップ係止部２１と、ケース本体１２に固定するための固定部２２とを有している。固定部２２は、平面視にて、ストラップ係止部２１の外周から半径外方へ張り出した鍔部と、ストラップ係止部２１の裏面側に設けられた係合孔３１とを有しており、前記鍔部はケース本体１２と係合する係合部２２ａとなっている。
【００１６】
ストラップ係止部２１には背面から正面に至る貫通孔を有し、該貫通孔は背面側に開口する第１の穴２４ａと、該第１の穴２４ａと連通すると共に、前記正面側に開口する第２の穴２４ｂとからなり、前記第２の穴２４ｂは正面側に向かうにつれて外方へ徐々に広がる曲面状となっている。また、ストラップ係止部２１の正面側には、その径方向に掛け渡された係止棒２３を備え、この係止棒２３と第２の穴２４ｂとで形成される通路をストラップ挿通路２４としてある。なお、係止棒２３の背面側の角部には面取りが施されて、円弧状の面取り部２３ａとされている。
ここで、取付部材１６は、図１１に示すように、取付部材１６の外形をなす形状を形成するための第１及び第２の金型２６、２７と、取付部材１６の第１の穴２４ａ及び係止棒２３の背面側を形成する第３の金型２５とによって成型される。第３の金型２５は、第２の金型２７の内側より挿通され、その頂部には係止棒２３の背面側を形成する凹部２５ａを備え、この凹部２５ａの隅部が断面円弧状に形成されている。そのため、第１ないし第３の金型２５、２６、２７によって形成される空間に軟化させた樹脂を充填して硬化させることで取付部材１６を一体的に形成することができ、第３の金型２５と第１の金型２６とで形成される係止棒２３の背面側角部に円弧状の面取りが施された形状とすることができる。尚、金型２５の凹部２５ａ全体を断面円弧状に形成し、係止棒２３の背面側全体を断面円弧状に形成してもよい。
【００１７】
一方、固定部２２の係合孔３１には、フレーム１７の角部に立設された係合リブ３２が嵌合される。また、取付部材１６の固定部２２は、係合凸部３３を有しており、この係合凸部３３は、フレーム１７に形成された係合凹部３４に嵌合する。また、取付部材１６の固定部２２の背面には、係止凹部３５が形成されており、この係止凹部３５には、フレーム１７の係合リブ３２の側面に形成された係止爪３６が入り込む構造とされている。
【００１８】
そして、この取付部材１６は、固定部２２の係合孔３１にフレーム１７の係合リブ３２を嵌合させるとともに、係合凸部３３をフレームの係合凹部３４に嵌合させることにより、フレーム１７の角部に取り付けられる。また、このとき、フレーム１７の係止爪３６が取付部材１６の固定部２２に形成された係止凹部３５に入り込むことにより、取付部材１６がフレーム１７に係止され、組み立て時に取付部材１６が脱落することなくフレーム１７への取り付け状態が維持される。
【００１９】
フロントケース１３には、取付部材１６の配設位置近傍（図３では取付部材１６の真後）に、ボス４１が立設されており、フレーム１７の角部近傍に形成された嵌合孔４２にボス４１が嵌合される。リヤケース１４には、固定孔４３を有する窪み部４４を有し、この固定孔４３に差し込んだ図示しない固定ねじをボス４１にねじ込むことにより、フロントケース１３とリヤケース１４とが固定され、また、嵌合孔４２にボス４１が嵌合されたフレーム１７が所定位置に支持される。
【００２０】
このとき、フレーム１７に取り付けられた取付部材１６は、その円形外形のストラップ係止部２１が、フロントケース１３及びリヤケース１４にそれぞれ形成された円弧状の嵌め込み凹部１３ａ、１４ａに嵌め込まれた状態に保持される。また、取付部材１６の固定部２２の係合部２２ａは、ケース本体１２の内面側に配置され、フロントケース１３及びリヤケース１４の凹部１３ａ、１４ａの縁部に係合する。
【００２１】
そして、上記のようにフロントケース１３とリヤケース１４と組み合わせ、図示しない他の固定部分とともに固定することにより、ケース本体１２の一端側における一側部に、ストラップＳを取り付けるための取付部１５が設けられた携帯電子機器１１が組み立てられる。
【００２２】
以上、説明したように、上記構造の携帯電子機器１１によれば、紐状のいわゆるストラップＳを係止可能な係止棒２３を有する取付部材１６をケース本体１２と別体としたので、この係止棒２３を有する取付部材１６をケース本体１２と別の高強度な材質とすることができ、耐久性を大幅に向上させることができる。
また、取付部材１６と別体としたことによりデザインの制約が少なくされ、ケース本体１２と取付部材１６とを異なる色や模様とすることにより、様々なデザイン要求に対応することができる。
【００２３】
しかも、取付部材１６の係合部２２ａがケース本体１２の内面と係合するので、取付部材１６のケース本体１２への取り付け強度を高めることができる。
また、フロントケース１３とリヤケース１４とをネジ止めするために設けられるボス（固定箇所）近傍に取付部材１６を設けたので、ストラップＳを介して取付部材１６に引っ張り力が作用しても、フロントケース１３とリヤケース１４との突き合わせ部分が開くような不具合なく、フロントケース１３とリヤケース１４との組み付け状態を維持することができ、取付部材１６のケース本体１２への強固な取り付け状態も維持することができる。
【００２４】
さらに、取付部材１６の係止棒２３の背面側における角部に円弧状の面取りが施されているので、ストラップＳとの摩擦を低減させて、ストラップＳの傷付きを防止することができる。
また、樹脂によって一体成型した取付部材１６の外周面に金属のメッキを施したので、取付部材１６の耐摩耗性を向上させることができる。
【００２５】
なお、上記の実施形態では、取付部材１６を樹脂によって一体成型し、その外周面に金属メッキ等の手段によって金属層を設けたが、取付部材１６自体を金属によって形成しても良く、この場合も、係止棒２３に係止したストラップＳとの接触部分の耐摩耗性を向上させることができる。
【図面の簡単な説明】
【００２６】
【図１】本発明の実施形態にかかる携帯電子機器の閉状態および開状態の外観をそれぞれ示す斜視図である。
【図２】本発明の実施形態に係る携帯電子機器の取付部材周辺部分の斜視図である。
【図３】携帯電子機器の内部構造を示す一部の断面図である。
【図４】携帯電子機器の内部構造を示す一部の分解斜視図である。
【図５】携帯電子機器の内部構造を示す一部の分解斜視図である。
【図６】携帯電子機器の取付部付近の構造を示す斜視図である。
【図７】取付部を構成する取付部材の正面図である。
【図８】取付部を構成する取付部材の平面図である。
【図９】取付部を構成する取付部材の背面図である。
【図１０】取付部を構成する取付部材の断面図である。
【図１１】取付部材の成型の仕方を説明する概略断面図である。
【図１２】ストラップの取付部を有する従来の携帯電子機器を説明する一部の斜視図である。
【図１３】取付部の成型の仕方を説明する概略断面図である。
【符号の説明】
【００２７】
１１  携帯電子機器
１２  ケース本体
１３  フロントケース（ケース部材）
１４  リヤケース（ケース部材）
１５  取付部
１６  取付部材
２２ａ  係合部
２３  係止棒
Ｓ  ストラップ
【図１】
2005109224.tif 000003
【図２】
2005109224.tif 000004
【図３】
2005109224.tif 000005
【図４】
2005109224.tif 000006
【図５】
2005109224.tif 000007
【図６】
2005109224.tif 000008
【図７】
2005109224.tif 000009
【図８】
2005109224.tif 000010
【図９】
2005109224.tif 000011
【図１０】
2005109224.tif 000012
【図１１】
2005109224.tif 000013
【図１２】
2005109224.tif 000014
【図１３】
2005109224.tif 000015